(57)【要約】【課題】  防音効果を高めたペットキャリーを提供すること。【解決手段】  ペットキャリー１では、ドア１１や、前枠部２１、本体３１、後壁部４１に、ゴム素材や、ステンレス鋼板、吸音板などの材料で製造したものを使用している。また、ドア１１の正面部１４は、防音性に優れた透過性のある樹脂材がはめ込まれる。従って、ペットの運搬時において、ペットの鳴き声が外部に漏れることを抑えるとともに、外部の騒音が内部に伝わることを抑えることもできる。【選択図】  図１
2005168378.tif 000002
【特許請求の範囲】
【請求項１】
開口部が設けられた本体と、前記開口部を開閉する扉体と、を有するペットキャリーにおいて、
前記本体及び前記扉体は、防音素材からなること、を特徴とするペットキャリー。
【請求項２】
開口部が設けられた本体と、前記開口部を開閉する扉体と、を有するペットキャリーにおいて、
前記本体及び前記扉体に防音シートを内装させたこと、を特徴とするペットキャリー。
【発明の詳細な説明】
【技術分野】
【０００１】
本発明は、例えば、犬や猫等の小動物たるペットを運搬するためのペットキャリーに関するものである。
【背景技術】
【０００２】
従来のペットキャリーは、ペットを出し入れするための開口部が設けられた本体や、その本体の開口部を開閉するための扉体、その本体に設けられた把持部などから構成されている。従って、扉体の開放により露出した開口部を介してペットを本体に入れた後、扉体を閉鎖させることにより、ペットを収容することができる。そして、把持部をもって本体を持ち運べば、ペットを運搬することができる。さらに、目的地に到着後、扉体を開放させれば、扉体の開放により露出した開口部を介してペットを本体から出すことができる。
【０００３】
この点、ペットキャリーを構成する本体や扉体などは、透明又は不透明の合成樹脂成形品から製造されている場合が多く、この場合には、竹篭状などの模様が形成され、意匠に富んだ製品に仕上げている（例えば、特許文献１、特許文献２参照）。
【特許文献１】特開平１１−１８６０４号公報
【特許文献２】特開平８−３０８４２１号公報
【発明の開示】
【発明が解決しようとする課題】
【０００４】
しかしながら、従来のペットキャリーにおいては、公共交通機関を利用して持ち運ぶ機会が多いにもかかわらず、防音性が考慮されていなかった。従って、本体に収容されているペットの鳴き声が公衆の迷惑になる一方、本体に収容されているペットにとっては、外部の騒音がペットのストレスの要因になることがあった。
【０００５】
そこで、本発明は、上述した点を鑑みてなされたものであり、防音効果を高めたペットキャリーを提供することを課題とする。
【課題を解決するための手段】
【０００６】
この課題を解決するために成された請求項１に係る発明は、開口部（例えば、開口部３１Ａ）が設けられた本体（例えば、前枠部２１、本体３１、後壁部４１）と、前記開口部（例えば、開口部３１Ａ）を開閉する扉体（例えば、ドア１１）と、を有するペットキャリー（例えば、ペットキャリー１）において、前記本体（例えば、前枠部２１、本体３１、後壁部４１）及び前記扉体（例えば、ドア１１）は、防音素材からなること、を特徴としている。
【０００７】
また、請求項２に係る発明は、開口部が設けられた本体（例えば、前枠部２１、本体３１、後壁部４１）と、前記開口部を開閉する扉体（例えば、ドア１１）と、を有するペットキャリー（例えば、ペットキャリー１）において、前記本体（例えば、前枠部２１、本体３１、後壁部４１）及び前記扉体（例えば、ドア１１）に防音シートを内装させたこと、を特徴としている。
【０００８】
尚、防音素材や防音シートには、例えば、ゴム素材や、硬質シート、ステンレス鋼板、吸音板、遮音シートなどがある。
【発明の効果】
【０００９】
すなわち、本発明のペットキャリーでは、防音性に優れた材質を使用することにより、防音効果を高く発揮しており、ペットの鳴き声が外部に漏れることを抑えて騒音問題に発展するのを防ぐとともに、外部の騒音が内部に伝わることを抑えてペットのストレスを軽減させることができるので、人間とペットの共生に貢献することができる。
【発明を実施するための最良の形態】
【００１０】
以下、本発明の実施の形態について図面を参照にして説明する。図１は、本実施の形態のペットキャリーの分解斜視図である。また、図２は、本実施の形態のペットキャリーの断面図である。図１及び図２に示すように、本実施の形態のペットキャリー１は、ドア１１や、前枠部２１、本体３１、後壁部４１などから構成されている。
【００１１】
この点、ドア１１は、一方の側面に一対の凹型枢支部１２が形成されるとともに、その正面部１４に取手１３が配設されている。尚、正面部１４は、防音性に優れた透過性のある樹脂材で形成されている。
【００１２】
また、前枠部２１は、一方の側面に一対の凸型枢支部２２が形成されている。この一対の凸型枢支部２２に対しては、ドア１１に形成された一対の凹型枢支部１２がはめこまれることにより、ドア１１を回動自在に取り付けることができる。また、前枠部２１には、その周囲に渡って係爪部２３が形成されている。
【００１３】
また、本体３１は、その外側上部において把持部３２が設けられるとともに、その内側下部においてシート部材５１が設置されている。また、本体３１の前面側の開口部３１Ａにおいては、係止部３４が周設されている。そして、この係止部３４に対しては、前枠部２１の係爪部２３が嵌め込まれることによって、本体３１の前面側の開口部３１Ａに前枠部２１を固定することができる。尚、本体３１の前面側の開口部３１Ａに周設された係止部３４の数箇所には突起部３５が形成されているので、本体３１の係止部３４に対して前枠２１の係爪部２３が嵌め込まれた際に、本体の係止部３４と前枠２１の係爪部２３に挟まれた突起部３５が弾性変形することにより、本体３１の係止部３４と前枠２１の係爪部２３の嵌め込みを確実なものにすることができる。これにより、前枠２１に枢支されたドア１１の開閉が行われても、本体３１から前枠２１が外れることを防止できる。一方、本体３１の後面側の開口部３１Ｂにおいては、係止部３３が周設されている。
【００１４】
また、後壁部４１は、その前面側の開口部４１Ａにおいては、側壁部４３から延設された数個の係爪部４２が形成されている。そして、この係爪部４２を、本体３１の後面側の開口部３１Ｂに周設された係止部３３に嵌め込むことによって、本体３１の後面側の開口部３１Ｂに後壁部４１を固定することができる。
【００１５】
このような構成を有する本実施の形態のペットキャリー１では、ドア１１を開放し、それにより露出した前枠２１や本体３１の前面側の開口部３１Ａを介してペットを本体３１の内部空間３６に入れ、さらに、ドア１１を閉鎖させることにより、ペットを収容することができる。そして、把持部３２をもって本体３１を持ち運べば、ペットを運搬することができる。さらに、目的地に到着後、ドア１１を開放させれば、それにより露出した前枠２１や本体３１の前面側の開口部３１Ａを介して、ペットを本体３１から出すことができる。
【００１６】
そして、本実施の形態のペットキャリー１では、ドア１１や、前枠部２１、本体３１、後壁部４１は、ゴム素材や、ステンレス鋼板、吸音板などの材料で製造したものを使用している。また、上述したように、ドア１１の正面部１４には、防音性に優れた透過性のある樹脂材がはめ込まれている。従って、本実施の形態のペットキャリー１では、防音効果が高く、ペットの運搬時において、ペットの鳴き声が外部に漏れることを抑えるとともに、外部の騒音が内部に伝わることを抑えることもできる。
【００１７】
また、本実施の形態のペットキャリー１は、ペットが収容される本体３１の内部空間３６を完全に密封するものではなく、ドア１１や、前枠部２１、本体３１、後壁部４１の各結合部分に多少の空気漏れが確保されており、ペットの安全面に配慮しつつ、高い防音効果を発揮させている。この点、ドア１１や、前枠部２１、本体３１、後壁部４１の各結合部分において空気漏れが確保できない場合には、防音効果を低減させない範囲で、ドア１１又は、本体３１、後壁部４１のいずれかに空気穴を設けてもよい。このとき、空気穴は、外部から直接通じる状態で設けるのではなく、消臭効果のあるフィルターなどを充填して、防音効果に配慮したものとする。
【００１８】
尚、本発明は上記実施の形態に限定されるものでなく、その趣旨を逸脱しない範囲で様々な変更が可能である。
例えば、本実施の形態のペットキャリー１では、ドア１１や、前枠部２１、本体３１、後壁部４１に、ゴム素材や、ステンレス鋼板、吸音板などの材料で製造したものを使用することによって、防音効果を高くしていた。
この点、ドア１１や、前枠部２１、本体３１、後壁部４１について、ゴム素材や、ステンレス鋼板、吸音板などとは異なる材料で製造したものを使用した場合には、これらの内側全面に、防音シート又は、遮音シート、硬質シートのいずれかを貼り付たものを使用することによって、防音効果を高くしてもよい。このとき、ドア１１や、前枠部２１、本体３１、後壁部４１への貼り付けは、本実施の形態のペットキャリー１にまで組み立てる前に行ってもよいし、組み立てた後に行ってもよい。尚、ドア１１への貼り付けでは、本体３１の内部空間３６に収容されたペットを確認するための覗き部をドア１１の正面部１４の一部に確保しつつ行ってもよい。
【００１９】
また、図１や図２に示すように、本実施の形態のペットキャリー１は、ボックス形状であったが、この点、バスケット形状や折りたたみ形状などであってもよい。
【産業上の利用可能性】
【００２０】
本発明は、ペットなどの小動物を収容して持ち運ぶものに適用し得る。
【図面の簡単な説明】
【００２１】
【図１】本発明の一実施形態によるペットキャリーの分解斜視図である。
【図２】本発明の一実施形態によるペットキャリーの断面図である。
【符号の説明】
【００２２】
１      ペットキャリー
１１    ドア
２１    前枠部
３１    本体
３１Ａ  本体の前側の開口部
４１    後壁部
【図１】
2005168378.tif 000003
【図２】
2005168378.tif 000004